(57)【要約】【課題】低背のコイル部品等を提供する。【解決手段】線材が巻回される巻胴部、及び、端子部材が設けられた端子台を有するボビンと、前記巻胴部に線材が巻回されてなるコイルとを有し、前記端子部材は、前記端子台から突出し回路基板の実装面に重ねられて接続される実装端子部と、前記実装端子部よりも前記回路基板側に設けられ前記線材の末端部が接続される絡げ端子部とを有する。【選択図】図１
2020047890.tif 000002
【特許請求の範囲】
【請求項１】
線材が巻回される巻胴部、及び、端子部材が設けられた端子台を有するボビンと、
前記巻胴部に線材が巻回されてなるコイルとを有し、
前記端子部材は、
前記端子台から突出し回路基板の実装面に重ねられて接続される実装端子部と、
前記実装端子部よりも前記回路基板側に設けられ前記線材の末端部が接続される絡げ端子部と、
を有することを特徴とするコイル部品。
【請求項２】
請求項１に記載のコイル部品において、
前記絡げ端子部は、
前記回路基板に設けられ、前記実装端子部より前記回路基板側に配置される部位が収容可能な収容部に配置されることを特徴とするコイル部品。
【請求項３】
請求項１または請求項２に記載のコイル部品が、前記回路基板に実装されていることを特徴とする回路部品。
【発明の詳細な説明】
【技術分野】
【０００１】
この発明は、電気回路等に使用するトランスなどに用いるコイル部品および回路部品に関する。
【背景技術】
【０００２】
電気回路等に使用するトランスなどに用いるコイル部品としては、例えば、中空部でなる巻芯部を有するボビンと、巻芯部に線材が巻き回されたコイルと、ボビンの中空部に挿入される中脚部を有しコイルを囲むコアとを有する表面実装用トランスが知られている（例えば、特許文献１参照）。
【０００３】
この表面実装用トランスのボビンは、巻芯部において実装面側に配置される部位が柱脚部の中空部への挿入方向に延長されて取付ベースが設けられている。取付ベースには、実装端子や絡げ端子をなす端子用導体が埋め込まれており、実装端子及び絡げ端子をなす部位が取り付けベースの側面から露出している。実装端子をなす部位は、取付ベースの底面に向けて折り返されており、絡げ端子をなす部位は、実装端子をなす部位が露出している位置に対して実装面と反対側にて当該実装面と略平行をなすように延出されている。
【先行技術文献】
【特許文献】
【０００４】
【特許文献１】特開２０１６−２０７８１１号公報
【発明の概要】
【発明が解決しようとする課題】
【０００５】
上記従来のコイル部品としてのトランスは、実装端子が取付ベースの底面にて折り返されているため、回路基板に実装された際には、トランス全体が実装面から突出する。このため、トランスの実装面からの突出量が大きく低背化を図ることができないという課題がある。
【０００６】
本発明は、かかる課題に鑑みてなされたものであり、その目的とするところは、低背のコイル部品及びこのコイル部品が実装された回路部品を提供することを目的としている。
【課題を解決するための手段】
【０００７】
かかる目的を達成するために本発明の一つは、
線材が巻回される巻胴部、及び、端子部材が設けられた端子台を有するボビンと、
前記巻胴部に線材が巻回されてなるコイルとを有し、
前記端子部材は、
前記端子台から突出し回路基板の実装面に重ねられて接続される実装端子部と、
前記実装端子部よりも前記回路基板側に設けられ前記線材の末端部が接続される絡げ端子部と、
を有することを特徴とするコイル部品である。
【０００８】
かかるコイル部品において、
前記絡げ端子部は、
前記回路基板に設けられ、前記実装端子部より前記回路基板側に配置される部位が収容可能な収容部に配置されることを特徴とする。
【０００９】
本発明の他の一つは、上記コイル部品が、前記回路基板に実装されていることを特徴とする回路部品である。
【発明の効果】
【００１０】
本発明によれば、低背のコイル部品及びこのコイル部品が実装された回路部品を提供することが可能である。
【図面の簡単な説明】
【００１１】
【図１】本発明の一実施形態にかかるコイル部品が実装されている状態を示す斜視図である。
【図２】端子台とコアの構成を示す図である。
【図３】コイルを有するボビンを示す斜視図である。
【図４】コイル部品を下方側から見た斜視図である。
【図５】図１におけるＡ矢視図である。
【発明を実施するための形態】
【００１２】
本発明の一実施形態について、以下に添付図面を参照しつつ説明する。
本発明の一実施形態に係るコイル部品は、例えば、回路基板に実装されるインダクターに用いられる。
【００１３】
以下の説明においては、コイル部品１が図１に示すように、水平面をなすように配置された回路基板２に実装されている状態において、上下となる方向を上下方向、左右となる方向を左右方向、奥行き方向を前後方向として示す。コイル部品１が実装されている回路基板２の各部位であっても、また、コイル部品１が実装されている回路基板２を構成する各部材については単体の状態であっても、コイル部品１が回路基板２に実装されている状態にて上下方向、左右方向、前後方向にて方向を特定して説明する。
【００１４】
図２、３に示すように、コイル部品１は、前後方向に巻軸１００を有するコイル３と、合成樹脂製の端子台５に端子部材４が一体形成されたボビン６と、コイル３を囲繞して閉磁路を形成するコア７とを基本的な構成としている。
【００１５】
また、図２に示したコイル部品１では、コア７は、互いに前後方向に対面する２つのコア部材７０によって構成されている。２つのコア部材７０は同一形状をなし、左右方向に互いに間隔を隔てた一対の側脚部７０ａと、一対の側脚部７０ａの間に配置された中脚部７０ｂとが一端側にて連結され、平面視Ｅ字状をなしている。
【００１６】
２つのコア部材７０は、連結されていない側が互いに突き合わされ、分離しないようにコア７の周囲にテープ（不図示）が巻回されている。２つのコア部材７０が突き合わされたコア７は、上端側が台形状に切り欠かれており、切り欠かれた部位に、ボビン６の上端に設けられ、コア７の上方への移動を規制する突起６ａが配置されて、コイル部品１の低背化が図られている。
【００１７】
端子台５は、図３に示すように、コイル３の巻線が巻回され、前後方向（巻軸方向）に貫通する中空部５１ａを形成する巻胴部５１の下部から前後方向に各々延出された端子台延出部５２ａ、５２ｂが一体に形成されている。
【００１８】
端子台延出部５２ａ、５２ｂには、Ｌ字状に屈曲された複数の端子部材４が設けられている。複数の端子部材４は、巻胴部５１よりも前側に延出されている前側の端子台延出部５２ａ、及び、巻胴部５１よりも後側に延出されている後側の端子台延出部５２ｂに各々、左右方向に互いに間隔を隔てて設けられている。各端子部材４は、図４に示すように、前側の端子台延出部５２ａの前面から前方に、また、後側の端子台延出部５２ｂの後面から後方に、各々水平方向に突出する部位が、複数本の実装端子部４１をなし、Ｌ字状に屈曲されて端子台延出部５２ａ、５２ｂの底面、すなわち端子台５の底面５ａから下方に突出している部位が、絡げ端子部４２をなしている。
【００１９】
巻胴部５１には、その外周に巻線が巻回されてコイル３が形成され、巻胴部５１が形成する中空部５１ａには２つのコア部材７０の中脚部７０ｂが前方及び後方から各々挿通されている。
【００２０】
本実施形態に係るコイル部品１の組立手順は、まず、ボビン６の巻胴部５１に線材３ａを巻回してコイル３を形成したうえで、線材３ａの端部を絡げ端子部４２に巻き付ける。次いで、コア部材７０の中脚部７０ｂをボビン６の巻胴部５１の中空部５１ａに挿通し、コア７を形成し、コア７の周囲にテープを巻回する。これによって、７つのコア部材７０が固定される。このようにして、絡げ端子部４２が、実装端子部４１より下方側に配置されたコイル部品１が完成する。
【００２１】
コイル部品１は、図１、図５に示すように、回路基板２の実装面２ａに設けられた配線パターンの電極２ｂ、２ｃ上に、各実装端子部４１が載置され、半田付けされて電気的に接続される。このとき、コイル３をなす線材３ａの端部が絡げられる絡げ端子部４２は、実装端子部４１よりも下側に設けられているので、回路基板２において前側の実装端子部４１が接合される電極（以下、前側電極という）２ｂと、後側の実装端子部４１が接合される電極（以下、後側電極という）２ｃとの間には、下方に窪む収容部としての凹部２ｄが設けられている。すなわち、回路基板２に設けられている凹部２ｄに、コイル部品１の実装端子部４１より下側(回路基板２側)に配置される部位が収容された状態で、コイル部品１が回路基板２に実装される。
【００２２】
本実施形態のコイル部品１によれば、従来のコイル部品において実装端子部よりも上方側に配置されていた絡げ端子部が、実装端子部４１よりも下方側に設けられているので、実装端子部４１より上側に配置される部位を小さくすることが可能である。また、従来のコイル部品において実装面２ａより上方に配置されていた絡げ端子部等を、回路基板２に設けられている凹部２ｄに収容して、実装面２ａよりも下側に配置することができる。このため、コイル部品１を実装したときに実装面２ａからコイル部品１が突出する突出高さを低くすることが可能である。すなわち、低背のコイル部品１を提供すること、及び、低背のコイル部品１が実装された回路部品を提供することが可能である。
【００２３】
上記実施形態においては、回路基板２において前側電極２ｂと、後側電極２ｃとの間に、コイル部品１の実装端子部４１より回路基板２側に配置される部位が収容される収容部として凹部２ｄが設けられている例について説明したが、前側電極２ｂと、後側電極２ｃとの間に設けられる収容部は、コイル部品１の実装端子部４１より回路基板２側に配置されている部位を収容可能な開口であっても構わない。
【００２４】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００２５】
１  コイル部品、２  回路基板、２ａ  実装面、２ｂ  前側電極（電極）、
２ｃ  後側電極（電極）、２ｄ  凹部、３  コイル、３ａ  線材、
４  端子部材、５  端子台、５ａ  端子台の底面、６  ボビン、６ａ  突起、
７  コア、４１  実装端子部、４２  絡げ端子部、５１  巻胴部、５１ａ  中空部、
５２  端子台延出部、５２ａ  端子台延出部、５２ｂ  端子台延出部、
７０  コア部材、７０ａ  側脚部、７０ｂ  中脚部、１００  巻軸
【図１】
2020047890.tif 000003
【図２】
2020047890.tif 000004
【図３】
2020047890.tif 000005
【図４】
2020047890.tif 000006
【図５】
2020047890.tif 000007